【手続補正書】
【提出日】平成21年2月6日(2009.2.6)
【手続補正１】
【補正対象書類名】特許請求の範囲
【補正対象項目名】全文
【補正方法】変更
【補正の内容】
【特許請求の範囲】
【請求項１】
セルラ通信システム用の基地局であって、
無線ネットワークコントローラRNCからデータパケットを受信する手段と、
無線インタフェースチャネルで前記データパケットを送信する手段と、
送信の前に前記データパケットをバッファに入れるバッファメモリと、
前記無線インタフェースチャネルで送信する前記データパケットをスケジューリングするスケジューリング手段と、
第１のユーザ装置との第１の無線インタフェース通信のための前記バッファメモリの第１のメモリ割り当てを決定するメモリ割り当て手段と、
前記第１のメモリ割り当てと前記第１の無線インタフェース通信の現在のバッファメモリ使用とに応じて、前記RNCから前記基地局へのデータ転送の転送許可を決定するフロー制御手段と、
前記転送許可を前記RNCに送信する通信手段と
を有する基地局。
【請求項２】
前記フロー制御手段は、前記第１のメモリ割り当てから引かれた前記現在のバッファメモリとして、前記転送許可を決定するように構成される、請求項１に記載の基地局。
【請求項３】
前記フロー制御手段は、前記スケジューリング手段による前記バッファメモリからのデータパケットのスケジューリングに応じて前記転送許可を決定するように構成される、請求項１又は２に記載の基地局。
【請求項４】
前記メモリ割り当て手段は、前記RNCからの転送許可要求に応じて前記第１のメモリ割り当てを決定するように構成される、請求項１ないし３のうちいずれか１項に記載の基地局。
【請求項５】
前記メモリ割り当て手段は、前記第１の無線インタフェース通信に関連するデータパケットのRNCバッファ使用の指示に応じて前記第１のメモリ割り当てを決定するように構成される、請求項１ないし４のうちいずれか１項に記載の基地局。
【請求項６】
前記現在のバッファ使用及び前記RNCバッファ使用の指示に関連するバッファメモリ使用の合計が前記第１のメモリ割り当てを超過する場合に、前記メモリ割り当て手段は、前記第１のメモリ割り当てを増加するように構成される、請求項１ないし５のうちいずれか１項に記載の基地局。
【請求項７】
前記RNCから受信したデータパケットの量に応じて前記転送許可を決定する手段を有する、請求項１ないし６のうちいずれか１項に記載の基地局。
【請求項８】
前記第１のメモリ割り当ての空きバッファメモリ量を決定する手段を有する、請求項１ないし７のうちいずれか１項に記載の基地局。
【請求項９】
前記空きバッファメモリ量を決定する手段は、前記スケジューリング手段によるデータパケットのスケジューリングに応じて前記空きバッファメモリ量を決定するように構成される、請求項８に記載の基地局。
【請求項１０】
前記空きバッファメモリ量が送信閾値を超過した場合にのみ、前記通信手段は、前記転送許可を前記RNCに送信するように構成される、請求項８又は９に記載の基地局。
【請求項１１】
前記送信閾値は、前記第１のメモリ割り当ての関数である、請求項１０に記載の基地局。
【請求項１２】
前記空きバッファメモリ量と、前記割り当てられた転送許可と、前記現在のバッファメモリ使用との合計は、前記第１のメモリ割り当てに等しい、請求項１ないし１１のうちいずれか１項に記載の基地局。
【請求項１３】
前記メモリ割り当て手段は、前記第１のメモリ割り当ての最大メモリ割り当て閾値を有する、請求項１ないし１２のうちいずれか１項に記載の基地局。
【請求項１４】
前記最大メモリ割り当て閾値は、
１つのスケジューリング間隔での前記スケジューリング手段の最大スケジューリング容量と、
前記RNCと前記基地局との間の通信の待ち時間の特性とのグループのうち少なくとも１つに依存する、請求項１ないし１３のうちいずれか１項に記載の基地局。
【請求項１５】
前記メモリ割り当て手段は、前記第１のユーザ装置の第１の優先レベルについて前記第１のメモリ割り当てを決定するように構成される、請求項１ないし１４のうちいずれか１項に記載の基地局。
【請求項１６】
前記第１の優先レベルは、前記基地局と前記第１のユーザ装置との間の複数の無線インタフェースチャネルに関連する、請求項１ないし１５のうちいずれか１項に記載の基地局。
【請求項１７】
前記第１の無線インタフェース通信の初期化で前記第１のメモリ割り当てを所定の値に初期化する手段を更に有する、請求項１ないし１６のうちいずれか１項に記載の基地局。
【請求項１８】
前記第１の無線インタフェース通信の初期化で前記転送許可を所定の値に初期化する手段を更に有する、請求項１ないし１７のうちいずれか１項に記載の基地局。
【請求項１９】
前記第１の無線インタフェース通信の初期化で前記現在のバッファメモリ使用を所定の値に初期化する手段を更に有する、請求項１ないし１８のうちいずれか１項に記載の基地局。
【請求項２０】
前記転送許可は、前記RNCから前記基地局に送信され得る前記第１の無線インタフェース通信に関連する複数のデータパケットを示す、請求項１ないし１９のうちいずれか１項に記載の基地局。
【請求項２１】
前記メモリ割り当て手段は、複数の無線インタフェース通信のそれぞれについて前記バッファメモリのメモリ割り当てを決定するように構成される、請求項１ないし２０のうちいずれか１項に記載の基地局。
【請求項２２】
転送許可の終了時間を決定し、前記終了時間に応じて新しい転送割り当てを前記RNCに送信する手段を更に有する、請求項１ないし２１のうちいずれか１項に記載の基地局。
【請求項２３】
請求項１ないし２２のうちいずれか１項に記載の基地局を有するセルラ通信システム。
【請求項２４】
前記転送許可を受信する手段と、
前記転送許可に応じて前記第１の通信のデータパケットを前記基地局に送信する手段と
を有する無線ネットワークコントローラ（RNC）を有する、請求項２３に記載のセルラ通信システム。
【請求項２５】
RNCは、現在の転送許可が前記RNCで保留になっている前記第１の無線インタフェース通信の全てのデータパケットを送信するのに不十分であるという決定に応じて、転送許可要求を生成する手段を更に有する、請求項２３又は２４に記載のセルラ通信システム。
【請求項２６】
転送許可が前記基地局から受信されたときに、前記RNCは、既存の転送許可を交換する手段を有する、請求項２３ないし２５のうちいずれか１項に記載のセルラ通信システム。
【請求項２７】
セルラ通信システムのフロー制御方法であって、
基地局が無線ネットワークコントローラRNCからデータパケットを受信し、
無線インタフェースチャネルで前記データパケットを送信し、
送信の前に前記データパケットをバッファメモリに入れ、
前記無線インタフェースチャネルで送信する前記データパケットをスケジューリングし、
第１のユーザ装置との第１の無線インタフェース通信のための前記バッファメモリの第１のメモリ割り当てを決定し、
前記第１のメモリ割り当てと前記第１の無線インタフェース通信の現在のバッファメモリ使用とに応じて、前記RNCから前記基地局へのデータ転送の転送許可を決定し、
前記転送許可を前記RNCに送信することを有する方法。
【請求項２８】
前記RNCで前記転送許可を受信し、
前記RNCが前記転送許可に応じて前記第１の通信のデータパケットを前記基地局に送信することを更に有する、請求項２７に記載の方法。